(57)【要約】【課題】小型化できる駆動装置および電気光学装置を提供すること。【解決手段】電気光学装置１は、液晶パネルＡＡと、液晶パネルＡＡを駆動する液晶ドライバ１０と、液晶ドライバ１０に供給する駆動電圧を生成する駆動電圧生成回路６と、３種類のガンマ補正データを記憶したＥＥＰＲＯＭ２０と、を備える。液晶ドライバ１０は、走査線駆動回路１１、データ線駆動回路１２、および制御回路３０を有する。データ線駆動回路１２には、ガンマ補正データＲＡＭが設けられており、このガンマ補正データＲＡＭは、ＥＥＰＲＯＭ２０が記憶した３種類のガンマ補正データのうち１種類のガンマ補正データを記憶する。【選択図】図１
2008040379.tif 000002
【特許請求の範囲】
【請求項１】
画像信号を出力する駆動装置であって、
複数のガンマ補正情報を記憶した不揮発性記憶手段と、
前記複数のガンマ補正情報のうち任意のガンマ補正情報に基づいて、画像信号にガンマ補正を行う駆動部と、を備え、
前記駆動部は、揮発性記憶手段を有し、
前記揮発性記憶手段は、前記不揮発性記憶手段が記憶した複数のガンマ補正情報のうち前記任意のガンマ補正情報を記憶することを特徴とする駆動装置。
【請求項２】
請求項１に記載の駆動装置において、
制御部をさらに備え、
前記制御部は、前記不揮発性記憶手段から前記複数のガンマ補正情報のうち前記任意のガンマ補正情報を読み出して、前記揮発性記憶手段に記憶させることを特徴とする駆動装置。
【請求項３】
請求項２に記載の駆動装置を備えた電気光学装置において、
前記制御部は、垂直帰線期間において、前記不揮発性記憶手段から前記複数のガンマ補正情報のうち前記任意のガンマ補正情報を読み出して、前記揮発性記憶手段に記憶させることを特徴とする電気光学装置。
【請求項４】
請求項１乃至３のいずれか１項に記載の電気光学装置を備えることを特徴とする電子機器。
【発明の詳細な説明】
【技術分野】
【０００１】
本発明は、駆動装置および電気光学装置に関する。
【背景技術】
【０００２】
従来より、液晶装置といった電気光学装置が知られている。この電気光学装置は、例えば、液晶パネルと、この液晶パネルを駆動する駆動装置と、を備える。
【０００３】
液晶パネルは、一対の基板と、これら一対の基板の間に設けられた液晶と、を備える。この液晶パネルには、複数の画素が設けられている。各画素には、一対の電極が設けられており、駆動装置から出力された画像信号が供給される。
【０００４】
この液晶パネルでは、駆動装置から画素に画像信号が供給されると、この画像信号に基づく画像電圧が上述の画素に係る一対の電極に供給される。この一対の電極により、画像電圧に基づく駆動電圧が液晶に印加されると、液晶の配向や秩序が変化し、液晶を透過する光が変化して、階調表示が行われる。
【０００５】
ところで、上述の駆動装置は、例えば、液晶パネルを駆動する駆動信号を出力する液晶ドライバと、液晶パネルの特性等に応じたガンマ補正データを記憶した不揮発性メモリと、を備える（例えば、特許文献１参照）。
【０００６】
液晶ドライバは、揮発性メモリを備えており、電気光学装置の起動時等に、不揮発性メモリからガンマ補正データを読み出して、揮発性メモリに記憶する。そして、この揮発性メモリに記憶したガンマ補正データに基づいて、画像信号を随時ガンマ補正し、このガンマ補正した画像信号を各画素に供給する。
【０００７】
このため、特許文献１に記載の電気光学装置は、液晶パネルの特性等に応じて、自然な階調表示を行うことができる。
【特許文献１】特開２００３−２８０６１５号公報
【発明の開示】
【発明が解決しようとする課題】
【０００８】
上述のガンマ補正データは、例えば、赤（Ｒ）、緑（Ｇ）、青（Ｂ）の３種類のカラーフィルタを備えた電気光学装置であれば、各色の画像信号に応じて、３種類設けられることがある。また、例えば、日本人と欧米人とでは、瞳の色が異なることにより色の見え方が微妙に異なるので、瞳の色に応じて、複数設けられることがある。
【０００９】
このため、不揮発性メモリには、複数のガンマ補正データが記憶されることがある。
この場合、液晶ドライバは、電気光学装置の起動時等に、これら複数のガンマ補正データの全てを不揮発性メモリから読み出して、揮発性メモリに記憶する。よって、揮発性メモリには、不揮発性メモリの記憶領域と同等もしくはそれ以上の記憶領域が必要となる。
【００１０】
一方、近年、より自然な階調表示を行うために、ガンマ補正データのデータ量が増加している。このため、揮発性メモリで、ガンマ補正データを記憶するのに必要な記憶領域が増加する傾向にあるため、この揮発性メモリを備える駆動装置においては、装置全体の小型化を阻害するといった問題があった。
【００１１】
そこで、本発明は、上述の課題に鑑みてなされたものであり、ガンマ補正データが増加傾向にある現状においても、装置の小型化を実現可能な駆動装置および電気光学装置を提供することを目的とする。
【課題を解決するための手段】
【００１２】
本発明の駆動装置は、画像信号を出力する駆動装置であって、複数のガンマ補正情報を記憶した不揮発性記憶手段と、前記複数のガンマ補正情報のうち任意のガンマ補正情報に基づいて、画像信号にガンマ補正を行う駆動部と、を備え、前記駆動部は、揮発性記憶手段を有し、前記揮発性記憶手段は、前記不揮発性記憶手段が記憶した複数のガンマ補正情報のうち前記任意のガンマ補正情報を記憶することを特徴とする。
【００１３】
この発明によれば、揮発性記憶手段により、不揮発性記憶手段が記憶した複数のガンマ補正情報のうち任意のガンマ補正情報を記憶した。このため、揮発性記憶手段により、複数のガンマ補正情報のうち駆動部が実際に用いるガンマ補正情報のみを記憶することで、揮発性記憶手段では、ガンマ補正情報を記憶するのに必要な記憶領域を削減できる。よって、不揮発性記憶手段が記憶するガンマ補正情報が増加しても、この揮発性記憶手段を備えることにより、駆動装置を小型化できる。
【００１４】
本発明の駆動装置は、制御部をさらに備え、前記制御部は、前記不揮発性記憶手段から前記複数のガンマ補正情報のうち前記任意のガンマ補正情報を読み出して、前記揮発性記憶手段に記憶させることが好ましい。
【００１５】
この発明によれば、制御部により、不揮発性記憶手段から複数のガンマ補正情報のうち任意のガンマ補正情報を読み出して、揮発性記憶手段に記憶させた。このため、必要に応じて随時、揮発性記憶手段に記憶させるガンマ補正情報の種類を変更することができる。
【００１６】
本発明の電気光学装置は、上述の駆動装置を備え、前記制御部は、垂直帰線期間において、前記不揮発性記憶手段から前記複数のガンマ補正情報のうち前記任意のガンマ補正情報を読み出して、前記揮発性記憶手段に記憶させることが好ましい。
【００１７】
本発明の電子機器は、上述の電気光学装置を備えることを特徴とする。
この発明によれば、上述した効果と同様の効果がある。
【００１８】
例えば、ある１フレーム期間において、駆動装置から画素に、ガンマ補正情報としての第１のガンマ補正情報に基づいてガンマ補正した画像信号を供給している最中に、ガンマ補正情報を第２のガンマ補正情報に変更する。すると、この１フレーム期間では、第１のガンマ補正情報に基づいてガンマ補正した画像信号が供給される画素と、第２のガンマ補正情報に基づいてガンマ補正した画像信号が供給される画素と、が混在することとなる。このため、これら画素では、ガンマ補正する前の画像信号が同一であっても、表示される階調が異なってしまい、階調表示が不自然になってしまう場合があった。
しかし、この発明によれば、帰線期間に、制御部により、不揮発性記憶手段から複数のガンマ補正情報のうち任意のガンマ補正情報を読み出して、揮発性記憶手段に記憶させたので、各１フレーム期間では、全ての画素には、同一のガンマ補正情報に基づいてガンマ補正した画像信号が供給される。よって、上述のように階調表示が不自然になるのを防止できる。
【発明を実施するための最良の形態】
【００１９】
以下、本発明の実施形態を図面に基づいて説明する。なお、以下の実施形態および変形例の説明にあたって、同一構成要件については同一符号を付し、その説明を省略もしくは簡略化する。
【００２０】
＜実施形態＞
図１は、本発明の一実施形態に係る電気光学装置１の構成を示すブロック図である。
電気光学装置１は、液晶パネルＡＡと、この液晶パネルＡＡを駆動する駆動装置としての液晶ドライバ１０と、液晶ドライバ１０に供給する駆動電圧を生成する駆動電圧生成回路６と、不揮発性記憶手段としてのＥＥＰＲＯＭ２０と、電気光学装置１を制御するための種々のコマンドを発行するＭＰＵ４０と、を備える。
【００２１】
液晶パネルＡＡは、一対の基板と、これら一対の基板の間に設けられた電気光学物質としての液晶と、を備える。一対の基板のうち一方の基板には、所定間隔おきに設けられた２００行の走査線Ｙ１〜Ｙ２００と、これら走査線Ｙ１〜Ｙ２００に交差し、かつ、所定間隔おきに設けられた１６０列のデータ線Ｘ１〜Ｘ１６０と、が形成されている。各走査線Ｙと各データ線Ｘとの交差部分には、画素５０が設けられている。
【００２２】
画素５０は、薄膜ダイオード（以降、ＴＦＤ（Thin  Film  Diode）と呼ぶ）５１と、画素容量５４と、を備える。
画素容量５４は、一対の電極を備え、これら一対の電極の間には、液晶が挟持されている。この画素容量５４の一対の電極のうち一方の電極には、走査線Ｙが接続され、画素容量５４の一対の電極のうち他方の電極には、ＴＦＤ５１を介してデータ線Ｘが接続されている。
【００２３】
ここで、走査線Ｙｎ（ｎは、１≦ｎ≦２００を満たす整数）と、データ線Ｘｍ（ｍは、１≦ｍ≦１６０を満たす整数）と、の交差に対応して設けられた画素５０に着目すると、以上の液晶パネルＡＡは、以下のように動作する。
【００２４】
すなわち、走査線Ｙｎから走査信号として選択電圧が供給されると、この走査線Ｙｎに接続されたＴＦＤ５１が全てオン状態となる。また、走査線Ｙｎから選択電圧が供給されるのに同期して、データ線Ｘｍから画像信号が供給されると、走査線Ｙｎとデータ線Ｘｍとの交差に対応して設けられた画素５０が備える画素容量５４には、この画像信号に基づく画像電圧が供給され、この画素容量５４に係る液晶に駆動電圧が印加される。
【００２５】
一方、走査線Ｙｎから走査信号として非選択電圧が供給されると、この走査線Ｙｎに接続されたＴＦＤ５１が全てオフ状態となる。すると、画素容量５４は、ＴＦＤ５１がオン状態の際に供給された画像電圧を保持する。このため、走査線Ｙｎとデータ線Ｘｍとの交差に対応して設けられた画素５０が備える画素容量５４に係る液晶には、ＴＦＤ５１がオン状態の際に印加された駆動電圧と同じ駆動電圧が印加され続ける。
【００２６】
上述のように液晶に駆動電圧が印加されると、液晶の配向や秩序が変化し、液晶を透過する光が変化して、階調表示が行われる。
【００２７】
駆動電圧生成回路６は、後述する走査線駆動回路１１に、電圧ＶＳＰ、ＶＨＰ、ＶＨＮ、ＶＳＮを供給し、後述するデータ線駆動回路１２に、電圧ＶＨＰ、ＶＨＮを供給する。この駆動電圧生成回路６は、図示しないフレキシブルプリント配線板（以降、ＦＰＣ（Flexible  Printed  Circuit）と呼ぶ）に形成されている。
なお、上述の各電圧については、後述する。
【００２８】
液晶ドライバ１０は、走査線駆動回路１１と、駆動部としてのデータ線駆動回路１２と、制御部としての制御回路３０と、を備える。この液晶ドライバ１０は、液晶パネルＡＡが備える一対の基板のうち上述の一方の基板に形成されている。
【００２９】
制御回路３０は、走査線駆動回路１１に、クロック信号ＹＣＬＫと、開始パルスＹＤと、極性指示信号ＰＯＬと、を供給する。また、データ線駆動回路１２に、上述の極性指示信号ＰＯＬを供給する。また、ＥＥＰＲＯＭ２０に、リセット信号ＲＳＴと、ＭＰＵ４０から発行されるＲＥＡＤコマンドに基づくリード信号ＲＤと、を供給する。
なお、上述の各信号については、後述する。
【００３０】
走査線駆動回路１１は、上述の走査信号としての選択電圧および非選択電圧を複数の走査線Ｙに順次供給する。
【００３１】
図２は、走査線駆動回路１１の構成を示すブロック図である。図３および図４は、走査線駆動回路１１のタイミングチャートである。
走査線駆動回路１１は、シフトレジスタ１１１、電圧選択信号生成回路１１２、および走査信号電圧選択回路１１３を備える。
【００３２】
シフトレジスタ１１１は、走査線Ｙの本数に等しい段数、すなわち本実施形態では２００段のシフトレジスタである。
このシフトレジスタ１１１には、制御回路３０から出力されたクロック信号ＹＣＬＫおよび開始パルスＹＤが入力される。クロック信号ＹＣＬＫは、走査線駆動回路１１が動作するタイミングの基準となる信号であり、１水平走査期間の半分の期間（以降、１／２水平走査期間と呼ぶ）ごとに交互にＨレベルまたはＬレベルとなる信号である。また、開始パルスＹＤは、１フレーム期間の開始時から１水平走査期間に亘ってＨレベルとなる信号である。
【００３３】
図３に示すように、シフトレジスタ１１１は、クロック信号ＹＣＬＫがＨレベルとなるのに同期して開始パルスＹＤを順次シフトし、１水平走査期間に亘ってＨレベルとなるパルス信号を転送信号ＹＳ１〜ＹＳ２００として順次出力する。
【００３４】
図２に戻って、電圧選択信号生成回路１１２は、走査線Ｙに供給する走査信号の電圧を選択するための信号を出力する。
この電圧選択信号生成回路１１２には、制御回路３０から出力されたクロック信号ＹＣＬＫおよび極性指示信号ＰＯＬと、シフトレジスタ１１１から出力された転送信号ＹＳ１〜ＹＳ２００と、が入力される。極性指示信号ＰＯＬは、１水平走査期間ごとに交互にＨレベルまたはＬレベルとなり、連続する２つの１フレーム期間の境界を挟む２つの１水平走査期間では、ＨレベルまたはＬレベルのうちいずれかで、同一のレベルとなる信号である。
【００３５】
図３に示すように、電圧選択信号生成回路１１２は、転送信号ＹＳｎがＨレベルである期間に、クロック信号ＹＣＬＫがＬレベルとなるのに同期して、極性指示信号ＰＯＬを参照する。
【００３６】
そして、極性指示信号ＰＯＬがＨレベルであれば、まず、第１の電圧選択信号ＹＡｎをＨレベルにするとともに、第２の電圧選択信号ＹＢｎ、第３の電圧選択信号ＹＣｎ、および第４の電圧選択信号ＹＤｎをＬレベルにして出力する。
次に、１／２水平走査期間が経過した後に、クロック信号ＹＣＬＫがＨレベルとなるのに同期して、第１の電圧選択信号ＹＡｎをＬレベルにするとともに、第２の電圧選択信号ＹＢｎをＨレベルにして出力する。
次に、さらに１／２水平走査期間が経過した後に、クロック信号ＹＣＬＫがＬレベルとなるのに同期して、第２の電圧選択信号ＹＢｎをＬレベルにして出力する。
【００３７】
一方、極性指示信号ＰＯＬがＬレベルであれば、まず、第３の電圧選択信号ＹＣｎをＨレベルにするとともに、第１の電圧選択信号ＹＡｎ、第２の電圧選択信号ＹＢｎ、および第４の電圧選択信号ＹＤｎをＬレベルにして出力する。
次に、１／２水平走査期間が経過した後に、クロック信号ＹＣＬＫがＨレベルとなるのに同期して、第３の電圧選択信号ＹＣｎをＬレベルにするとともに、第４の電圧選択信号ＹＤｎをＨレベルにして出力する。
次に、さらに１／２水平走査期間が経過した後に、クロック信号ＹＣＬＫがＬレベルとなるのに同期して、第４の電圧選択信号ＹＤｎをＬレベルにして出力する。
【００３８】
図２に戻って、走査信号電圧選択回路１１３は、複数の電圧の中から１つの電圧を選択して、走査信号として出力する。
この走査信号電圧選択回路１１３には、駆動電圧生成回路６から出力された電圧ＶＳＰ、ＶＨＰ、ＶＨＮ、ＶＳＮと、電圧選択信号生成回路１１２から出力された第１の電圧選択信号ＹＡ１〜ＹＡ２００、第２の電圧選択信号ＹＢ１〜ＹＢ２００、第３の電圧選択信号ＹＣ１〜ＹＣ２００、および第４の電圧選択信号ＹＤ１〜ＹＤ２００と、が入力される。
【００３９】
図４に示すように、走査信号電圧選択回路１１３は、第１の電圧選択信号ＹＡｎがＨレベルになると、走査線Ｙｎに供給する走査信号の電圧レベルを電圧ＶＳＰとし、第２の電圧選択信号ＹＢｎがＨレベルになると、走査線Ｙｎに供給する走査信号の電圧レベルを電圧ＶＨＰとして出力する。
一方、第３の電圧選択信号ＹＣｎがＨレベルになると、走査線Ｙｎに供給する走査信号の電圧レベルを電圧ＶＳＮとし、第４の電圧選択信号ＹＤｎがＨレベルになると、走査線Ｙｎに供給する走査信号の電圧レベルを電圧ＶＨＮとして出力する。
【００４０】
以上の走査線駆動回路１１は、以下のように動作する。
すなわち、走査線駆動回路１１は、極性指示信号ＰＯＬに応じて、選択電圧として、電圧ＶＳＰまたは電圧ＶＳＮを走査線Ｙに供給するとともに、非選択電圧として、電圧ＶＨＰまたは電圧ＶＨＮを走査線Ｙに供給する。
【００４１】
具体的には、走査線Ｙｎに選択電圧を供給する期間に極性指示信号ＰＯＬがＨレベルであれば、１水平走査期間の後半の１／２水平走査期間に亘って、走査線Ｙｎに選択電圧として電圧ＶＳＰを供給し、その後、走査線Ｙｎに非選択電圧として電圧ＶＨＰを供給する。
【００４２】
一方、走査線Ｙｎに選択電圧を供給する期間に極性指示信号ＰＯＬがＬレベルであれば、１水平走査期間の後半の１／２水平走査期間に亘って、走査線Ｙｎに選択電圧として電圧ＶＳＮを供給し、その後、走査線Ｙｎに非選択電圧として電圧ＶＨＮを供給する。
【００４３】
図１に戻って、データ線駆動回路１２は、上述の画像信号をデータ線Ｘに供給する。
【００４４】
図５は、データ線駆動回路１２の構成を示すブロック図である。図６は、データ線駆動回路１２のタイミングチャートである。
データ線駆動回路１２は、表示データＲＡＭ１２１、階調コードパルス生成回路１２２、ＰＷＭデコーダ１２４、および画像信号電圧選択回路１２５を備える。
【００４５】
表示データＲＡＭ１２１は、揮発性メモリで構成され、画像信号ＤＡＴＡを記憶する。
具体的には、この表示データＲＡＭ１２１は、１フレーム分の画像信号ＤＡＴＡを記憶するための記憶領域を備えており、図示しない画像信号生成回路から出力された画像信号ＤＡＴＡが入力される。そして、この表示データＲＡＭ１２１は、１フレーム分の画像信号ＤＡＴＡが入力されると、既に記憶している別の１フレーム分の画像信号ＤＡＴＡに上書きをして記憶し、データ線Ｘ１〜Ｘ１６０に対応して画像信号ＤＡＴＡ１〜ＤＡＴＡ１６０として出力する。
なお、本実施形態では、画像信号ＤＡＴＡｍは、３ビットのデジタルデータとする。
【００４６】
階調コードパルス生成回路１２２は、揮発性記憶手段としてのガンマ補正データＲＡＭ１２３を備える。
【００４７】
ガンマ補正データＲＡＭ１２３は、揮発性メモリで構成され、ＥＥＰＲＯＭ２０が記憶しているガンマ補正情報としての３種類のガンマ補正データγ１、γ２、γ３のうち１種類のガンマ補正データγを記憶する。
具体的には、このガンマ補正データＲＡＭ１２３は、１種類のガンマ補正データγを記憶するための記憶領域を備えており、ＥＥＰＲＯＭ２０から出力された３種類のガンマ補正データγ１、γ２、γ３のうちいずれかが入力される。そして、このガンマ補正データＲＡＭ１２３は、３種類のガンマ補正データγ１、γ２、γ３のうちいずれかが入力されると、既に記憶しているガンマ補正データγに上書きをして記憶する。
なお、ガンマ補正データＲＡＭ１２３により、ＥＥＰＲＯＭ２０が記憶している３種類のガンマ補正データγ１、γ２、γ３のうちいずれかを記憶する際の動作については、後述する。
【００４８】
図６に示すように、上述のガンマ補正データＲＡＭ１２３を備える階調コードパルス生成回路１２２は、ガンマ補正データＲＡＭ１２３に記憶されたガンマ補正データγに基づいて、階調コードパルスＧＣＰを生成して出力する。この階調コードパルスＧＣＰは、ガンマ補正データＲＡＭ１２３に記憶されたガンマ補正データγに応じて、Ｈレベルである期間と、Ｌレベルである期間と、が変化する。
【００４９】
図５に戻って、ＰＷＭデコーダ１２４は、画像信号ＤＡＴＡ１〜ＤＡＴＡ１６０にガンマ補正を行って、電圧選択信号ＸＤ１〜ＸＤ１６０を生成して出力する。
具体的には、このＰＷＭデコーダ１２４には、制御回路３０から出力された極性指示信号ＰＯＬと、表示データＲＡＭ１２１から出力された画像信号ＤＡＴＡ１〜ＤＡＴＡ１６０と、階調コードパルス生成回路１２２から出力された階調コードパルスＧＣＰと、が入力される。そして、このＰＷＭデコーダ１２４は、階調コードパルスＧＣＰに基づいて、画像信号ＤＡＴＡ１〜ＤＡＴＡ１６０にガンマ補正を行って、極性指示信号ＰＯＬに応じた電圧で、電圧選択信号ＸＤ１〜ＸＤ１６０として出力する。
【００５０】
まず、図６の時刻ｔ１からｔ１５までの期間、すなわち極性指示信号ＰＯＬの極性がＨレベルである１水平走査期間でのＰＷＭデコーダ１２４の動作を説明する。
【００５１】
時刻ｔ１、すなわち１水平走査期間の開始時において、画像信号ＤＡＴＡｍが“０００”〜“１１０”のいずれかであれば、階調コードパルスＧＣＰがＨレベルとなるのに同期して、電圧選択信号ＸＤｍをＬレベルとする。一方、画像信号ＤＡＴＡｍが“１１１”であれば、階調コードパルスＧＣＰがＨレベルとなるのに同期して、電圧選択信号ＸＤｍをＨレベルとする。
【００５２】
そして、画像信号ＤＡＴＡｍが“０００”であれば、階調コードパルスＧＣＰがＨレベルとなるのに同期して、時刻ｔ８において電圧選択信号ＸＤｍをＨレベルとする。
すなわち、画像信号ＤＡＴＡｍが“０００”であれば、時刻ｔ１からｔ１５までの１水平期間のうち、時刻ｔ８からｔ１５までの期間に亘り、電圧選択信号ＸＤｍをＨレベルとする。
【００５３】
また、画像信号ＤＡＴＡｍが“００１”であれば、階調コードパルスＧＣＰがＨレベルとなるのに同期して、時刻ｔ７において電圧選択信号ＸＤｍをＨレベルとし、時刻ｔ１４において電圧選択信号ＸＤｍをＬレベルとする。
すなわち、画像信号ＤＡＴＡｍが“００１”であれば、時刻ｔ１からｔ１５までの１水平期間のうち、時刻ｔ７からｔ１４までの期間に亘り、電圧選択信号ＸＤｍをＨレベルとする。
【００５４】
また、画像信号ＤＡＴＡｍが“０１０”から“１１１”であっても、上述の画像信号ＤＡＴＡｍが“０００”や“００１”である場合と同様に、時刻ｔ１からｔ１５までの１水平期間のうち、電圧選択信号ＸＤｍをＨレベルとする期間を変化させる。
【００５５】
次に、図６の時刻ｔ１５からｔ２９までの期間、すなわち極性指示信号ＰＯＬの極性がＬレベルである１水平走査期間でのＰＷＭデコーダ１２４の動作を説明する。
【００５６】
時刻ｔ１５からｔ２９は、それぞれ、上述の時刻ｔ１からｔ１５に対応している。ＰＷＭデコーダ１２４は、時刻ｔ１５からｔ２９までの期間では、上述の時刻ｔ１からｔ１５までの期間と比べて、電圧選択信号ＸＤｍの極性を反転させる。
【００５７】
図５に戻って、画像信号電圧選択回路１２５は、所定の期間に亘って、複数の電圧の中から１つの電圧を選択して、画像信号として出力する。
この画像信号電圧選択回路１２５には、駆動電圧生成回路６から出力された電圧ＶＨＰ、ＶＨＮと、ＰＷＭデコーダ１２４から出力された電圧選択信号ＸＤ１〜ＸＤ１６０と、が入力される。
【００５８】
図６に示すように、画像信号電圧選択回路１２５は、画像信号として、電圧選択信号ＸＤｍがＨレベルである期間には、データ線Ｘｍに供給する画像信号の電圧レベルを電圧ＶＨＰとして出力し、電圧選択信号ＸＤｍがＬレベルである期間には、データ線Ｘｍに供給する画像信号の電圧レベルを電圧ＶＨＮとして出力する。
【００５９】
以上のデータ線駆動回路１２は、以下のように動作する。
すなわち、データ線駆動回路１２は、極性指示信号ＰＯＬに応じて、電圧ＶＨＰおよび電圧ＶＨＮからなる画像信号をデータ線Ｘに供給する。
【００６０】
具体的には、極性指示信号ＰＯＬがＨレベルであれば、画像信号ＤＡＴＡｍの値が大きいほど、１水平走査期間の後半の１／２水平走査期間において、長い期間に亘りデータ線Ｘｍに電圧ＶＨＮを供給し、画像信号ＤＡＴＡｍの値が小さいほど、１水平走査期間の後半の１／２水平走査期間において、長い期間に亘りデータ線Ｘｍに電圧ＶＨＰを供給する。
【００６１】
一方、極性指示信号ＰＯＬがＬレベルであれば、画像信号ＤＡＴＡｍの値が大きいほど、１水平走査期間の後半の１／２水平走査期間において、長い期間に亘りデータ線Ｘｍに電圧ＶＨＰを供給し、画像信号ＤＡＴＡｍの値が小さいほど、１水平走査期間の後半の１／２水平走査期間において、長い期間に亘りデータ線Ｘｍに電圧ＶＨＮを供給する。
【００６２】
図７は、電気光学装置１のタイミングチャートである。
【００６３】
１水平走査期間の後半の１／２水平走査期間において、時刻ｔ３１からｔ３４までの期間のように走査線Ｙｎの電圧レベルが電圧ＶＳＰであれば、データ線Ｘｍの電圧レベルが電圧ＶＨＮである期間が長いほど、走査線Ｙｎとデータ線Ｘｍとの交差に対応して設けられた画素５０は、明るい階調を表示し、データ線Ｘｍの電圧レベルが電圧ＶＨＮである期間が短いほど、走査線Ｙｎとデータ線Ｘｍとの交差に対応して設けられた画素５０は、暗い階調を表示する。
【００６４】
具体的には、図７の時刻ｔ３１からｔ３４までの期間において、データ線Ｘ１、Ｘ２、Ｘ１６０の３つのデータ線に注目すると、データ線Ｘ１の電圧は、時刻ｔ３３からｔ３４までの期間に亘って電圧ＶＨＮであり、データ線Ｘ２の電圧は、時刻ｔ３１からｔ３４までの期間に亘って電圧ＶＨＮであり、データ線Ｘ１６０の電圧は、時刻ｔ３２からｔ３４までの期間に亘って電圧ＶＨＮである。すなわち、時刻ｔ３１からｔ３４までの期間において、電圧ＶＨＮである期間が最も長いのは、データ線Ｘ２であり、次に長いのは、データ線Ｘ１６０であり、最も短いのは、データ線Ｘ１である。
【００６５】
よって、走査線Ｙｎとデータ線Ｘ２との交差に対応して設けられた画素５０が、最も明るい階調を表示する。次に明るい階調を表示するのは、走査線Ｙｎとデータ線Ｘ１６０との交差に対応して設けられた画素５０である。そして、最も暗い階調を表示するのは、走査線Ｙｎとデータ線Ｘ１との交差に対応して設けられた画素５０である。
【００６６】
一方、１水平走査期間の後半の１／２水平走査期間において、時刻ｔ３６からｔ４０までの期間のように走査線Ｙｎの電圧レベルが電圧ＶＳＮであれば、データ線Ｘｍの電圧レベルが電圧ＶＨＰである期間が長いほど、走査線Ｙｎとデータ線Ｘｍとの交差に対応して設けられた画素５０は、明るい階調を表示し、データ線Ｘｍの電圧レベルが電圧ＶＨＰである期間が短いほど、走査線Ｙｎとデータ線Ｘｍとの交差に対応して設けられた画素５０は、暗い階調を表示する。
【００６７】
具体的には、図７の時刻ｔ３６からｔ４０までの期間において、データ線Ｘ１、Ｘ２、Ｘ１６０の３つのデータ線に注目すると、データ線Ｘ１の電圧は、時刻ｔ３８からｔ４０までの期間に亘って電圧ＶＨＰであり、データ線Ｘ２の電圧は、時刻ｔ３９からｔ４０までの期間に亘って電圧ＶＨＰであり、データ線Ｘ１６０の電圧は、時刻ｔ３７からｔ４０までの期間に亘って電圧ＶＨＰである。すなわち、時刻ｔ３６からｔ４０までの期間において、電圧ＶＨＰである期間が最も長いのは、データ線Ｘ１６０であり、次に長いのは、データ線Ｘ１であり、最も短いのは、データ線Ｘ２である。
【００６８】
よって、走査線Ｙｎとデータ線Ｘ１６０との交差に対応して設けられた画素５０が、最も明るい階調を表示する。次に明るい階調を表示するのは、走査線Ｙｎとデータ線Ｘ１との交差に対応して設けられた画素５０である。そして、最も暗い階調を表示するのは、走査線Ｙｎとデータ線Ｘ２との交差に対応して設けられた画素５０である。
【００６９】
図１に戻って、ＥＥＰＲＯＭ２０は、３種類のガンマ補正データγ１、γ２、γ３と、走査線駆動回路１１およびデータ線駆動回路１２の初期設定値と、を記憶している。このＥＥＰＲＯＭ２０は、駆動電圧生成回路６と同様に、図示しないＦＰＣに形成されている。
このＥＥＰＲＯＭ２０には、制御回路３０から出力されたリセット信号ＲＳＴおよびリード信号ＲＤが入力される。リセット信号ＲＳＴは、電気光学装置１を初期化するための信号である。また、リード信号ＲＤは、ＭＰＵ４０から発行されたリードコマンドＲＥＡＤに基づいて、ＥＥＰＲＯＭ２０から３種類のガンマ補正データγ１、γ２、γ３のうちいずれかを読み出すための信号である。
【００７０】
図８は、ＥＥＰＲＯＭ２０から３種類のガンマ補正データγ１、γ２、γ３のいずれかや、初期設定値を読み出す際の動作を説明するためのタイミングチャートである。
ここで、ＶＳＹＮＣは、垂直同期信号の電圧であり、Ｌレベルの期間が垂直帰線期間である。
【００７１】
まず、時刻ｔ４１からｔ４２までの期間において、リセット信号ＲＳＴをＬレベルにして、電気光学装置１を初期化する。
【００７２】
次に、時刻ｔ４２においてリセット信号ＲＳＴをＨレベルにすると、時刻ｔ４２からｔ４３までの期間において、ＥＥＰＲＯＭ２０は、走査線駆動回路１１およびデータ線駆動回路１２の初期設定値を出力する。この初期設定値は、走査線駆動回路１１およびデータ線駆動回路１２に供給され、走査線駆動回路１１およびデータ線駆動回路１２では、動作を開始するための初期値が設定される。
【００７３】
次に、時刻ｔ４３からｔ４４までの期間において、ＥＥＰＲＯＭ２０は、３種類のガンマ補正データγ１、γ２、γ３のうちガンマ補正データγ１を出力する。このガンマ補正データγ１は、ガンマ補正データＲＡＭ１２３に供給され、ガンマ補正データＲＡＭ１２３に記憶される。
【００７４】
次に、時刻ｔ４５からｔ４６までの期間において、ＭＰＵ４０は、表示開始コマンドを発行し、制御回路３０は、この表示開始コマンドに基づいて、垂直同期信号ＶＳＹＮＣの出力を開始する。すると、この垂直同期信号ＶＳＹＮＣに同期して、走査線駆動回路１１およびデータ線駆動回路１２が動作を開始する。これにより、画素５０からは、順次、階調表示が行われる。
【００７５】
次に、時刻ｔ４７からｔ４８までの期間において、ＭＰＵ４０は、３種類のガンマ補正データγ１、γ２、γ３のうちガンマ補正データγ２を読み出すためのリードコマンドＲＥＡＤを発行する。すると、制御回路３０は、ガンマ補正データγ２を読み出すためのリードコマンドＲＥＡＤに基づいて、ガンマ補正データγ２を読み出すためのリード信号ＲＤを出力する。そして、ＥＥＰＲＯＭ２０は、ガンマ補正データγ２を読み出すためのリード信号ＲＤに基づいて、時刻ｔ４９からｔ５０までの期間、すなわちガンマ補正データγ２を読み出すためのリードコマンドＲＥＡＤが発行されてから最初の垂直帰線期間において、ガンマ補正データγ２を出力する。
このガンマ補正データγ２は、ガンマ補正データＲＡＭ１２３に供給され、既に記憶されているガンマ補正データγ１に上書きされて、ガンマ補正データＲＡＭ１２３に記憶される。
【００７６】
次に、時刻ｔ５１からｔ５２までの期間において、ＭＰＵ４０は、３種類のガンマ補正データγ１、γ２、γ３のうちガンマ補正データγ３を読み出すためのリードコマンドＲＥＡＤを発行する。すると、制御回路３０は、ガンマ補正データγ３を読み出すためのリードコマンドＲＥＡＤに基づいて、ガンマ補正データγ３を読み出すためのリード信号ＲＤを出力する。そして、ＥＥＰＲＯＭ２０は、ガンマ補正データγ３を読み出すためのリード信号ＲＤに基づいて、時刻ｔ５２からｔ５３までの期間、すなわちガンマ補正データγ３を読み出すためのリードコマンドＲＥＡＤが発行されてから最初の垂直帰線期間において、ガンマ補正データγ３を出力する。
このガンマ補正データγ３は、ガンマ補正データＲＡＭ１２３に供給され、既に記憶されているガンマ補正データγ２に上書きされて、ガンマ補正データＲＡＭ１２３に記憶される。
【００７７】
本実施形態によれば、以下のような効果がある。
（１）ガンマ補正データＲＡＭ１２３により、ＥＥＰＲＯＭ２０が記憶した３種類のガンマ補正データγ１、γ２、γ３のうち１種類のガンマ補正データγを記憶した。このため、ガンマ補正データＲＡＭ１２３により、３種類のガンマ補正データγ１、γ２、γ３のうちデータ線駆動回路１２が実際に用いるガンマ補正データγのみを記憶することで、ガンマ補正データＲＡＭ１２３では、ガンマ補正データを記憶するのに必要な記憶領域を削減できる。ここで、このガンマ補正データＲＡＭ１２３は、データ線駆動回路１２に設けられ、このデータ線駆動回路１２は、液晶ドライバ１０に設けられている。このため、ガンマ補正データＲＡＭ１２３の記憶領域を削減して小型化することで、液晶ドライバ１０を小型化できる。
【００７８】
（２）制御回路３０により、３種類のガンマ補正データγ１、γ２、γ３のうち１種類のガンマ補正データγを読み出すためのリード信号ＲＤを出力し、ＥＥＰＲＯＭ２０から上述の１種類のガンマ補正データγを読み出して、ガンマ補正データＲＡＭ１２３に記憶させた。このため、必要に応じて随時、ガンマ補正データＲＡＭ１２３に記憶させるガンマ補正データγの種類を変更できる。
【００７９】
（３）制御回路３０により、３種類のガンマ補正データγ１、γ２、γ３のうち１種類のガンマ補正データγを読み出すためのリード信号ＲＤを出力して、垂直帰線期間に、ＥＥＰＲＯＭ２０から上述の１種類のガンマ補正データγを読み出し、ガンマ補正データＲＡＭ１２３に記憶させた。このため、各１フレーム期間では、全ての画素５０には、同一のガンマ補正データγに基づいてガンマ補正した画像信号が供給される。よって、ある１フレーム期間において、複数の画素５０に、それぞれ異なるガンマ補正データに基づいてガンマ補正した画像信号が供給されるということがないので、階調表示が不自然になるのを防止できる。
【００８０】
＜変形例＞
なお、本発明は上述の一実施形態に限定されるものではなく、本発明の目的を達成できる範囲での変形、改良等は本発明に含まれるものである。
例えば、上述の一実施形態では、２００行の走査線Ｙ１〜Ｙ２００と、１６０列のデータ線Ｘ１〜Ｘ１６０と、を備えるものとしたが、これに限らない。例えば、４８０行の走査線Ｙ１〜Ｙ４８０と、６４０列のデータ線Ｘ１〜Ｘ６４０と、を備えてもよい。
【００８１】
また、上述の一実施形態では、電気光学装置１は、ノーマリーブラックモードで動作するものとしたが、これに限らず、例えばノーマリーホワイトモードで動作するものであってもよい。
【００８２】
また、上述の一実施形態では、画素５０は、ＴＦＤを備えるものとしたが、これに限らず、例えば、薄膜トランジスタ（ＴＦＴ（Thin  Film  Transistor））を備えてもよい。画素５０がＴＦＤを備える場合には、上述の一実施形態では、ガンマ補正データＲＡＭ１２３に記憶されたガンマ補正データγに応じて、階調コードパルスＧＣＰのＨレベルである期間と、Ｌレベルである期間と、が変化するものとした。一方、画素５０がＴＦＴを備える場合には、ガンマ補正データＲＡＭ１２３に記憶されたガンマ補正データγに応じて、画像信号の電圧レベルが変化する。
【００８３】
また、上述の一実施形態では、画像信号ＤＡＴＡｍは、３ビットのデジタルデータとしたが、これに限らず、例えば、８ビットや１０ビットのデジタルデータであってもよい。
【００８４】
また、上述の一実施形態では、ＥＥＰＲＯＭ２０は、３種類のガンマ補正データγ１、γ２、γ３のうち１種類のガンマ補正データγを記憶するものとしたが、これに限らず、例えば、４種類や５種類のガンマ補正データを記憶するものであってもよい。
【００８５】
また、上述の一実施形態では、ガンマ補正データＲＡＭ１２３は、１種類のガンマ補正データγを記憶するものとしたが、これに限らず、ＥＥＰＲＯＭ２０が記憶しているガンマ補正データの種類よりも少ない種類のガンマ補正データを記憶するものとしてもよい。例えば、ＥＥＰＲＯＭ２０が５種類のガンマ補正データを記憶している場合、ガンマ補正データＲＡＭ１２３は、３種類や２種類のガンマ補正データを記憶してもよい。
【００８６】
また、上述の一実施形態では、垂直帰線期間において、ＥＥＰＲＯＭ２０からガンマ補正データを読み出して、ガンマ補正データＲＡＭ１２３に記憶させたが、これに限らず、例えば、水平帰線期間において、ＥＥＰＲＯＭ２０からガンマ補正データを読み出して、ガンマ補正データＲＡＭ１２３に記憶させてもよい。
【００８７】
＜応用例＞
次に、上述した実施形態に係る電気光学装置１を適用した電子機器について説明する。
図９は、電気光学装置１を適用した携帯電話機３０００の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００８８】
なお、電気光学装置１が適用される電子機器としては、図９に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００８９】
【図１】本発明の一実施形態に係る電気光学装置の構成を示すブロック図である。
【図２】前記電気光学装置が備える走査線駆動回路の構成を示すブロック図である。
【図３】前記走査線駆動回路の第１のタイミングチャートである。
【図４】前記走査線駆動回路の第２のタイミングチャートである。
【図５】前記電気光学装置が備えるデータ線駆動回路の構成を示すブロック図である。
【図６】前記データ線駆動回路のタイミングチャートである。
【図７】前記電気光学装置のタイミングチャートである。
【図８】ＥＥＰＲＯＭから３種類のガンマ補正データのいずれかや、初期設定値を読み出す際の動作を説明するためのタイミングチャートである。
【図９】前記電気光学装置を適用した携帯電話機の構成を示す斜視図である。
【符号の説明】
【００９０】
１…電気光学装置、６…駆動電圧生成回路、１０…液晶ドライバ（駆動装置）、１１…走査線駆動回路、１２…データ線駆動回路（駆動部）、２０…ＥＥＰＲＯＭ（不揮発性記憶手段）、３０…制御回路（制御部）、１２３…ガンマ補正データＲＡＭ（揮発性記憶手段）。
【図１】
2008040379.tif 000003
【図２】
2008040379.tif 000004
【図３】
2008040379.tif 000005
【図４】
2008040379.tif 000006
【図５】
2008040379.tif 000007
【図６】
2008040379.tif 000008
【図７】
2008040379.tif 000009
【図８】
2008040379.tif 000010
【図９】
2008040379.tif 000011